(57)【特許請求の範囲】
【請求項１】
２層又は３層の紙層で構成された中綴じ製本用のセキュリティ用紙であって、
前記セキュリティ用紙の表面に少なくとも１つのウインドウスレッドのラインが設けられるとともに、前記セキュリティ用紙の裏面にも少なくとも１つのウインドウスレッドのラインが設けられ、
前記表面と前記裏面にそれぞれ設けられた前記ウインドウスレッドのラインは、該セキュリティ用紙の中心線に対して左右対称の座標位置の表面と裏面にそれぞれ設けられたラインであって、前記表裏両面の各最外層に設けられた断続的な窓開き部と、前記各最外層の下層に設けられて前記窓開き部で露出するスレッドとが同一方向に延びるラインであって、
前記窓開き部は、該セキュリティ用紙の中心線に対して左右対称に同形状で設けられており、
前記ラインは、該セキュリティ用紙の中心線に対して左右対称に同形状で設けられていることを特徴とするセキュリティ用紙。
【請求項２】
前記セキュリティ用紙がパスポート用の中綴じ製本用紙である、請求項１に記載のセキュリティ用紙。
【請求項３】
前記セキュリティ用紙の表面と裏面にそれぞれ２つ以上のウインドウスレッドのラインが設けられ、
（ア）前記中心線から一方の側の表面に該２つ以上のウインドウスレッドのラインが設けられている、又は、
（イ）前記中心線から一方の側の表面に該２つ以上のウインドウスレッドのラインのうち少なくとも１つのラインが設けられ且つ前記中心線から他方の側の表面に該２つ以上のウインドウスレッドのラインのうち少なくとも１つのラインが設けられている、請求項１又は２に記載のセキュリティ用紙。
【請求項４】
２層の紙層で構成された中綴じ製本用のセキュリティ用紙を、多槽式円網抄紙機を用いて製造するセキュリティ用紙の製造方法であって、
窓開き部を有する第１紙層を抄紙する第１抄紙工程と、
該第１抄紙工程後に第２紙層を抄紙する工程であって、前記第１紙層が有する窓開き部に第１スレッドをすき入れるとともに、前記第２紙層に窓開き部を形成し且つ該窓開き部に第２スレッドをすき入れして第２紙層を形成する第２抄紙工程と、を有し、
すき入れられた前記第１スレッドと前記第２スレッドとを、前記セキュリティ用紙の表面に設けられた少なくとも１つのウインドウスレッドのラインと、前記セキュリティ用紙の裏面に設けられた少なくとも１つのウインドウスレッドのラインとし、該各ウインドウスレッドのラインを前記セキュリティ用紙の中心線に対する左右対称の座標位置の表面と裏面にそれぞれ設けるセキュリティ用紙の製造方法であって、
前記窓開き部は、該セキュリティ用紙の中心線に対して左右対称に同形状で設けられており、
前記ラインは、該セキュリティ用紙の中心線に対して左右対称に同形状で設けられていることを特徴とするセキュリティ用紙の製造方法。
【請求項５】
前記第１抄紙工程で用いる円網抄紙機が、前記窓開き部に対応する透かし形成部を設けた円網シリンダーを有し、前記窓開き部の中にすき入れする第１スレッドを、前記第２抄紙工程で用いる円網抄紙機が有する円網シリンダーに供給するとともに、前記第２抄紙工程で用いる円網抄紙機が、前記窓開き部に対応する透かし形成部を設けた円網シリンダーを有し、前記窓開き部の中にすき入れする第２スレッドを、該第２抄紙工程で用いる円網抄紙機が有する円網シリンダーに供給する、請求項４に記載のセキュリティ用紙の製造方法。
【請求項６】
前記第１スレッドと前記第２スレッドとをそれぞれ２つすき入れし、前記セキュリティ用紙の表面と裏面にそれぞれ２つ以上のウインドウスレッドのラインを設け、（ア）前記中心線から一方の側の表面に該２つ以上のウインドウスレッドのラインを設ける、又は、（イ）前記中心線から一方の側の表面に該２つ以上のウインドウスレッドのラインのうち少なくとも１つのラインを設け且つ前記中心線から他方の側の表面に該２つ以上のウインドウスレッドのラインのうち少なくとも１つのラインを設ける、請求項４又は５に記載のセキュリティ用紙の製造方法。
【請求項７】
３層の紙層で構成された中綴じ製本用のセキュリティ用紙を、多槽式円網抄紙機を用いて製造するセキュリティ用紙の製造方法であって、
窓開き部を有する第１紙層を抄紙する第１抄紙工程と、
該第１抄紙工程後に第２紙層を抄紙する工程であって、前記第１紙層が有する窓開き部に第１スレッドをすき入れして前記第２紙層を形成する第２抄紙工程と、
該第２抄紙工程後に第３紙層を抄紙する工程であって、該第３紙層に窓開き部を形成し且つ該窓開き部に第２スレッドをすき入れして第３紙層を形成する第３抄紙工程と、を有し、
すき入れられた前記第１スレッドと前記第２スレッドとを、前記セキュリティ用紙の表面に設けられた少なくとも１つのウインドウスレッドのラインと、前記セキュリティ用紙の裏面に設けられた少なくとも１つのウインドウスレッドのラインとし、該各ウインドウスレッドのラインを前記セキュリティ用紙の中心線に対する左右対称の座標位置の表面と裏面にそれぞれ設けるセキュリティ用紙の製造方法であって、
前記窓開き部は、該セキュリティ用紙の中心線に対して左右対称に同形状で設けられており、
前記ラインは、該セキュリティ用紙の中心線に対して左右対称に同形状で設けられていることを特徴とするセキュリティ用紙の製造方法。
【請求項８】
前記第１抄紙工程で用いる円網抄紙機が、前記窓開き部に対応する透かし形成部を設けた円網シリンダーを有し、前記窓開き部の中にすき入れする第１スレッドを、前記第２抄紙工程で用いる円網抄紙機が有する円網シリンダーに供給するとともに、前記第３抄紙工程で用いる円網抄紙機が、前記窓開き部に対応する透かし形成部を設けた円網シリンダーを有し、前記窓開き部の中にすき入れする第２スレッドを、該第３抄紙工程で用いる円網抄紙機が有する円網シリンダーに供給する、請求項７に記載のセキュリティ用紙の製造方法。
【請求項９】
前記第１スレッドと前記第２スレッドとをそれぞれ２つすき入れし、前記セキュリティ用紙の表面と裏面にそれぞれ２つ以上のウインドウスレッドのラインを設け、（ア）前記中心線から一方の側の表面に該２つ以上のウインドウスレッドのラインを設ける、又は、（イ）前記中心線から一方の側の表面に該２つ以上のウインドウスレッドのラインのうち少なくとも１つのラインを設け且つ前記中心線から他方の側の表面に該２つ以上のウインドウスレッドのラインのうち少なくとも１つのラインを設ける、請求項７又は８に記載のセキュリティ用紙の製造方法。
【請求項１０】
請求項１〜３のいずれか１項に記載のセキュリティ用紙で中綴じ製本されてなることを特徴とするパスポート。
【発明の詳細な説明】
【技術分野】
【０００１】
本発明は、冊子用セキュリティ用紙及びその製造方法並びにパスポートに関する。更に詳しくは、中綴じ製本に使用する冊子用セキュリティ用紙及びその製造方法、並びにその用紙を中綴じ製本してなるパスポートに関する。
【背景技術】
【０００２】
高いセキュリティが要求されるパスポート（旅券）、通帳、身分証明書、記録証明書等の冊子は、最終製品形態が複数枚の用紙で構成され、背糊製本や中綴じ製本によって得られている。背糊製本は、用紙の表裏の向きを統一して背閉じ（背糊）する製本態様である。この背糊製本は、糊で紙の端を留めているだけで容易に剥がすことができるため、ページの差し替え等の改ざんや偽造が簡単にできてしまうという問題がある。
【０００３】
中綴じ製本は、図１１に示すように、複数枚の見返しページ用紙１２１や本文ページ用紙１２２を丁合して平重ねした後、その中心線１２３に沿って糸綴じを施し、次に背側の糸目を隠蔽するように表紙１２４を貼り付け、さらに綴じ糸１２６を折り線とする折り目をプレス１２５し、表紙１２４が外側となるように二つ折りして冊子とする方法である。中綴じ製本で得られた冊子１２０は、どのページでも開閉が容易であり、どのページでも平面性がよく、パスポートや通帳等の冊子の記載事項を確認したり、機械読み取りしたり、記帳したりする際に好都合である。さらに、中綴じ製本で得られた冊子１２０は、ページの抜き取り、差し替え等の改ざんや偽造が困難であり、高いセキュリティが要求されるパスポートや通帳等の偽造対策として利用されている。
【０００４】
具体的には、先ず、図１１（Ａ）に示すように、見返しページ用紙１２１の上に本文ページ用紙１２２を所定の順序で丁合して平重ねする。このとき、最下層の見返しページ用紙１２１は、後の工程で供給される表紙１２４と貼り合わされる。次に、図１１（Ｂ）に示すように、中心線１２３に沿って綴じ糸１２６で糸綴じする。糸綴じは、通常、ミシン縫いで行われる。次に、図１１（Ｃ）に示すように、表紙１２４を見返しページ用紙１２１の下に置き、見返しページ１２１と表紙１２４とを接着剤で貼り合わせる。見返しページ用紙１２１の下側に露出している糸は、表紙１２４で隠蔽される。また、最上部の本文ページ用紙１２２はセンターページと呼ばれ、綴じ糸１２６が露出する。次に、図１１（Ｄ）に示すように、プレス１２５によるスジ押し工程により、綴じ糸１２６に沿った線状の折り目を付与する。この場合、工程的に言えば個々の紙に折り易くする筋押しを入れて製本後に折り目を付与する。次に、図１１（Ｅ）に示すように、表紙１２４を外側として二つ折りした後、断裁して、中綴じ冊子１２０が得られる。なお、図１１（Ｅ）では、部分的に開いた形態を示しており、見返しページ１２１と表紙１２４は貼り合わされて一体になっている。
【０００５】
パスポートはこうした中綴じ製本で得られているが、近年、中綴じ製本されたパスポートであっても偽造や模造の被害が各国で発生しており、各国政府はその対策に苦慮している。偽造方法の一つに、本物のパスポートの綴じ糸を切断したりほどいたりしてばらばらにし、本文ページ用紙やＩＤページを偽造品と差し替え、再び各ページを綴じ合わせるという方法がある。また、綴り糸を解かずにページを抜き取り、わからないように新しいページを追加する等の偽造手法も主流となってきている。この場合、抜き取るページは製本部に合わせて切り取り、新しく入れる紙はページを糸に合わせて差込み、さらに反対側の追加する用紙を貼り合わせるようである。
【０００６】
この偽造方法を防ぐための製本方法として、本文ページ用紙を糸綴じした後、綴じ糸の上から接着剤を塗布して、綴じ糸の毛細管作用で糸目や刺し孔に接着剤を含浸させ、その後その接着剤を硬化して、上記糸目を隠蔽するように表紙を貼り付ける方法が提案されている（特許文献１，２を参照）。こうして製本された冊子は、綴じ糸、糸目及び刺し孔に含浸した接着剤が硬化するので、綴じ糸をほどいたり切断したりすることが困難であり、偽造防止に非常に有効であるとされている。
【０００７】
また、特許文献１，２で提案された冊子をさらに改善した例として、転写シールを糸綴じ部に転写貼付して綴じ糸を強固に固定した冊子が提案されている（特許文献３を参照）。この例によれば、綴じ糸を切断して冊子をばらばらにすることを防ぎ、偽造ページを差し替えるのをし難くして偽造防止性を高めている。
【０００８】
綴じ糸部の固定を強化して偽造ページの差し替えをし難くした上記特許文献１〜３に記載の冊子は、偽造・改ざん防止対策としてある程度の効果は有するものの、近年では、より一層の偽造・改ざん防止対策が要求されている。
【０００９】
ところで、図１２に示すように、紙幣や有価証券等の用紙１０４には、セキュリティの付与を目的としてウインドウスレッド１１０が設けられているものがある。ウインドウスレッド１１０は、用紙１０４の抄紙工程（用紙の製造工程）で、用紙１０４の片面又は両面の開口部１１１に、スレッド１１２が破線状に露出するように挿入されている（特許文献４〜６）。なお、符号１１３は、スレッド１１２が紙層内に隠れている遮蔽スレッドである。製造された用紙１０４はウインドウスレッド用紙と呼ばれ、偽造が困難な複雑な用紙構造となっており、紙幣や有価証券等の偽造防止に有効であるとされている。
【先行技術文献】
【特許文献】
【００１０】
【特許文献１】特開平２−１７２７９６号公報
【特許文献２】特許第２９３５８３６号公報
【特許文献３】特願２０１０−２３２７０号公報
【特許文献４】特開平８−３１１８００号公報
【特許文献５】特開平９−３１６７９６号公報
【特許文献６】特開２００５−２３２６１７号公報
【発明の概要】
【発明が解決しようとする課題】
【００１１】
中綴じ冊子として作製されたパスポートは、どの査証（ＶＩＳＡＳ）ページを見開いた場合であっても同様のページ態様になっていることが偽造パスポートを容易に発見するためには効果的である。しかしながら、中綴じ製本で作製されたパスポートに、紙幣や有価証券等で利用されている態様のウインドウスレッド用紙を適用した場合、次のような問題がある。
【００１２】
（ア）紙幣や有価証券等では、通常、片面に１本のウインドウスレッド１１０が形成されたウインドウスレッド用紙１０４Ａが用いられている。こうしたウインドウスレッド用紙１０４Ａを中綴じ製本してパスポート１０１Ａを作製した場合、パスポート１０１Ａの中間部（図１３（Ａ））を見開いた場合のページ態様と、前半部（図１３（Ｂ））を見開いた場合のページ態様と、後半部（図１３（Ｃ））を見開いた場合のページ態様とが異なったものとなる。具体的には、パスポート１０１Ａの中間部を見開いた場合のページ態様は、図１３（Ａ）に示すように、左側のページはウインドウスレッド１１０を有さないページ態様であり、右側のページはウインドウスレッド１１０を有するページ態様である。また、パスポート１０１Ａの前半部を見開いた場合のページ態様は、図１３（Ｂ）に示すように、左側のページと右側のページはいずれもウインドウスレッド１１０を有さないページ態様である。また、パスポート１０１Ａの後半部を見開いた場合のページ態様は、図１３（Ｃ）に示すように、左側のページはウインドウスレッド１１０を有するページ１０４Ａの裏面のページ態様であり、右側のページはウインドウスレッド１１０を有するページ態様である。
【００１３】
（イ）一方、片面に２本のウインドウスレッド１１０が左右対称に形成されたウインドウスレッド用紙１０４Ｂを中綴じ製本してパスポート１０１Ｂを作製した場合、パスポート１０１Ｂの中間部（図１４（Ａ））を見開いた場合のページ態様と、前半部（図１４（Ｂ））を見開いた場合のページ態様と、後半部（図１４（Ｃ））を見開いた場合のページ態様とが異なったものとなる。具体的には、パスポート１０１Ｂの中間部を見開いた場合のページ態様は、図１４（Ａ）に示すように、左側のページと右側のページのいずれもウインドウスレッド１１０を有するページ態様である。また、パスポート１０１Ｂの前半部を見開いた場合のページ態様は、図１４（Ｂ）に示すように、左側のページはウインドウスレッド１１０を有するページ態様であり、右側のページはウインドウスレッド１１０を有するページ１０４Ｂの裏面のページ態様である。また、パスポート１０１Ｂの後半部を見開いた場合のページ態様は、図１４（Ｃ）に示すように、左側のページはウインドウスレッド１１０を有するページ１０４Ｂの裏面のページ態様であり、右側のページはウインドウスレッド１１０を有するページ態様である。
【００１４】
上記（ア）（イ）で説明したように、従来のウインドウスレッド用紙１０４Ａ，１０４Ｂを中綴じ製本してパスポート１０１Ａ，１０１Ｂを作製した場合には、パスポート１０１Ａ，１０１Ｂの査証（ＶＩＳＡＳ）ページを見開いたとき、全てのページにおいて同様の態様になっていないため、パスポートの検閲時において、その態様の相違が、パスポートの前半部、中間部及び後半部の相違であるか、偽造の結果の相違であるか等を視覚的に瞬時に判別できないという難点がある。そのため、偽造パスポート等の発見に極めて効果的であるとは言いきれないものであった。
【００１５】
また、パスポートの他、通帳、身分証明書、記録証明書等の冊子に図１２〜図１４に示すような構造を採用しても、上記の問題は生じうる。
【００１６】
本発明は、上記課題を解決するためになされたものであって、その目的は、中綴じ製本に使用する用紙であって、偽造パスポート等の発見に極めて効果的な冊子に用いられるセキュリティ用紙及びその製造方法を提供することにある。また、本発明の他の目的は、そのセキュリティ用紙を中綴じ製本してなるパスポートを提供することにある。
【課題を解決するための手段】
【００１７】
上記課題を解決するための本発明に係るセキュリティ用紙は、２層又は３層の紙層で構成された中綴じ製本用のセキュリティ用紙であって、前記セキュリティ用紙の表面に少なくとも１つのウインドウスレッドのラインが設けられるとともに、前記セキュリティ用紙の裏面にも少なくとも１つのウインドウスレッドのラインが設けられ、前記表面と裏面にそれぞれ設けられた前記ウインドウスレッドのラインは、該セキュリティ用紙の中心線に対して左右対称の座標位置の表面と裏面にそれぞれ設けられたラインであって、前記表裏両面の各最外層に設けられた断続的な窓開き部と、前記各最外層の下層に設けられて前記窓開き部で露出するスレッドとが同一方向に延びるラインであることを特徴とする。
【００１８】
この発明によれば、２層又は３層の紙層で構成されたセキュリティ用紙の表面と裏面には、ウインドウスレッドのラインが、中心線に対する左右対称の座標位置の表面と裏面にそれぞれ対ラインとして少なくとも１対設けられているので、このセキュリティ用紙を中綴じ製本して例えばパスポートを作製した場合に、パスポート等を見開いたときの左右のページ態様がいずれのページでも同じになる。その結果、例えばパスポートの検閲時において、そのページ態様が同じであるか異なるかが瞬時且つ容易に判別できるので、偽造の疑いのあるパスポート等の発見に極めて効果的である。なお、左右対称の座標位置の表面と裏面にそれぞれ設けられた対ラインは、中綴じ製本の際に折る中心線の右側にウインドウスレッドのラインが設けられている場合においては中心線の左側にはウインドウスレッドのラインは設けられておらずに遮蔽スレッドが設けられている。なお、遮蔽スレッドの形成位置は、裏面においてはウインドウスレッドのラインが設けられている位置である。
【００１９】
本発明に係るセキュリティ用紙において、前記セキュリティ用紙がパスポート用の中綴じ製本用紙であることが好ましい。
【００２０】
この発明によれば、セキュリティ用紙がパスポート用の中綴じ製本用紙であるので、このセキュリティ用紙で中綴じ製本されてなるパスポートは、どのページを見開いたときであっても左右のページ態様がいずれのページでも同じになる。その結果、パスポートの検閲時において、そのページ態様が同じであるか異なるかが瞬時且つ容易に判別できるので、偽造の疑いのあるパスポートの発見に極めて効果的である。
【００２１】
本発明に係るセキュリティ用紙において、前記セキュリティ用紙の表面と裏面にそれぞれ２つ以上のウインドウスレッドのラインが設けられ、（ア）前記中心線から一方の側の表面に該２つ以上のウインドウスレッドのラインが設けられている、又は、（イ）前記中心線から一方の側の表面に該２つ以上のウインドウスレッドのラインのうち少なくとも１つのラインが設けられ且つ前記中心線から他方の側の表面に該２つ以上のウインドウスレッドのラインのうち少なくとも１つのラインが設けられている、ように構成できる。
【００２２】
この発明によれば、偽造が困難なウインドウスレッドのラインが、セキュリティ用紙の表面と裏面にそれぞれ２つ以上設けられているので、セキュリティの高い安全なセキュリティ用紙として供給できる。
【００２３】
上記課題を解決するための本発明の第１態様に係るセキュリティ用紙の製造方法は、２層の紙層で構成された中綴じ製本用のセキュリティ用紙を、多槽式円網抄紙機を用いて製造するセキュリティ用紙の製造方法であって、窓開き部を有する第１紙層を抄紙する第１抄紙工程と、該第１抄紙工程後に第２紙層を抄紙する工程であって、前記第１紙層が有する窓開き部に第１スレッドをすき入れるとともに、前記第２紙層に窓開き部を形成し且つ該窓開き部に第２スレッドをすき入れして第２紙層を形成する第２抄紙工程と、を有し、すき入れられた前記第１スレッドと前記第２スレッドとを、前記セキュリティ用紙の表面に設けられた少なくとも１つのウインドウスレッドのラインと、前記セキュリティ用紙の裏面に設けられた少なくとも１つのウインドウスレッドのラインとし、該各ウインドウスレッドのラインを前記セキュリティ用紙の中心線に対する左右対称の座標位置の表面と裏面にそれぞれ設けることを特徴とする。
【００２４】
この発明によれば、２層の紙層で構成された中綴じ製本用のセキュリティ用紙を多槽式円網抄紙機で製造する。そして、その抄紙機で上記第１抄紙工程と上記第２抄紙工程とを経ることにより、セキュリティ用紙の表面と裏面のそれぞれに、偽造が困難なウインドウスレッドのラインを少なくとも１つ設けることができる。その結果、セキュリティの高い安全なセキュリティ用紙を効率的に製造できる。
【００２５】
本発明の第１態様に係るセキュリティ用紙の製造方法において、前記第１抄紙工程で用いる円網抄紙機が、前記窓開き部に対応する透かし形成部を設けた円網シリンダーを有し、前記窓開き部の中にすき入れする第１スレッドを、前記第２抄紙工程で用いる円網抄紙機が有する円網シリンダーに供給するとともに、前記第２抄紙工程で用いる円網抄紙機が、前記窓開き部に対応する透かし形成部を設けた円網シリンダーを有し、前記窓開き部の中にすき入れする第２スレッドを、該第２抄紙工程で用いる円網抄紙機が有する円網シリンダーに供給するように構成する。
【００２６】
本発明の第１態様に係るセキュリティ用紙の製造方法において、前記第１スレッドと前記第２スレッドとをそれぞれ２つすき入れし、前記セキュリティ用紙の表面と裏面にそれぞれ２つ以上のウインドウスレッドのラインを設け、（ア）前記中心線から一方の側の表面に該２つ以上のウインドウスレッドのラインを設ける、又は、（イ）前記中心線から一方の側の表面に該２つ以上のウインドウスレッドのラインのうち少なくとも１つのラインを設け且つ前記中心線から他方の側の表面に該２つ以上のウインドウスレッドのラインのうち少なくとも１つのラインを設ける、ように構成する。
【００２７】
この発明によれば、偽造が困難なウインドウスレッドのラインを、セキュリティ用紙の表面と裏面にそれぞれ２つ以上設けるので、セキュリティの高い安全なセキュリティ用紙を効率的に製造できる。
【００２８】
上記課題を解決するための本発明の第２態様に係るセキュリティ用紙の製造方法は、３層の紙層で構成された中綴じ製本用のセキュリティ用紙を、多槽式円網抄紙機を用いて製造するセキュリティ用紙の製造方法であって、窓開き部を有する第１紙層を抄紙する第１抄紙工程と、該第１抄紙工程後に第２紙層を抄紙する工程であって、前記第１紙層が有する窓開き部に第１スレッドをすき入れして前記第２紙層を形成する第２抄紙工程と、該第２抄紙工程後に第３紙層を抄紙する工程であって、該第３紙層に窓開き部を形成し且つ該窓開き部に第２スレッドをすき入れして第３紙層を形成する第３抄紙工程と、を有し、すき入れられた前記第１スレッドと前記第２スレッドとを、前記セキュリティ用紙の表面に設けられた少なくとも１つのウインドウスレッドのラインと、前記セキュリティ用紙の裏面に設けられた少なくとも１つのウインドウスレッドのラインとし、該各ウインドウスレッドのラインを前記セキュリティ用紙の中心線に対する左右対称の座標位置の表面と裏面にそれぞれ設けることを特徴とする。
【００２９】
この発明によれば、３層の紙層で構成された中綴じ製本用のセキュリティ用紙を多槽式円網抄紙機で製造する。そして、その抄紙機で上記第１’抄紙工程と上記第２’抄紙工程と上記第３’抄紙工程とを経ることにより、セキュリティ用紙の表面と裏面に、偽造が困難なウインドウスレッドのラインを少なくとも１つ設けることができる。その結果、セキュリティの高い安全なセキュリティ用紙を効率的に製造できる。
【００３０】
本発明の第２態様に係るセキュリティ用紙の製造方法において、前記第１抄紙工程で用いる円網抄紙機が、前記窓開き部に対応する透かし形成部を設けた円網シリンダーを有し、前記窓開き部の中にすき入れする第１スレッドを、前記第２抄紙工程で用いる円網抄紙機が有する円網シリンダーに供給するとともに、前記第３抄紙工程で用いる円網抄紙機が、前記窓開き部に対応する透かし形成部を設けた円網シリンダーを有し、前記窓開き部の中にすき入れする第２スレッドを、該第３抄紙工程で用いる円網抄紙機が有する円網シリンダーに供給する、ように構成する。
【００３１】
本発明の第２態様に係るセキュリティ用紙の製造方法において、前記第１スレッドと前記第２スレッドとをそれぞれ２つすき入れし、前記セキュリティ用紙の表面と裏面にそれぞれ２つ以上のウインドウスレッドのラインを設け、（ア）前記中心線から一方の側の表面に該２つ以上のウインドウスレッドのラインを設ける、又は、（イ）前記中心線から一方の側の表面に該２つ以上のウインドウスレッドのラインのうち少なくとも１つのラインを設け且つ前記中心線から他方の側の表面に該２つ以上のウインドウスレッドのラインのうち少なくとも１つのラインを設けるように構成する。
【００３２】
この発明によれば、偽造が困難なウインドウスレッドのラインを、セキュリティ用紙の表面と裏面にそれぞれ２つ以上設けるので、セキュリティの高い安全なセキュリティ用紙を効率的に製造できる。
【００３３】
以上、本発明に係るセキュリティ用紙の製造方法によれば、セキュリティ用紙の表裏両面にウインドウスレッドのラインを形成する。表裏両面へのウインドウスレッドのラインの形成は、最低２つの抄紙工程（抄紙機）が必要であり、用紙強度の観点からは３つの抄紙工程で形成する３層構成のセキュリティ用紙を提供でき、一方、工数削減とコストダウンの観点からは２つの抄紙工程で形成する２層構成のセキュリティ用紙を提供できる。なお、ウインドウスレッドのラインは、最終的に形成する紙層（最外紙層）以外の紙層を形成し、該紙層と最外紙層とを重ね合わせる際に、最外紙層の窓開き部に位置するようにスレッドを紙層間に挿入する。これによって、最外紙層の窓開き部内にスレッドをすき入れでき、窓開き部でスレッドが露出するように構成できる。
【００３４】
上記課題を解決するため本発明に係るパスポートは、上記本発明に係るセキュリティ用紙で中綴じ製本されてなることを特徴とする。
【００３５】
この発明によれば、上記本発明に係るセキュリティ用紙を中綴じ製本してなるものであるので、どのページを見開いたときであっても同一のページ態様になっている。その結果、パスポートの検閲時において、そのページ態様が同じであるか異なるかが瞬時且つ容易に判別できるので、偽造の疑いのあるパスポートの発見に極めて効果的である。
【発明の効果】
【００３６】
本発明に係るセキュリティ用紙によれば、得られたセキュリティ用紙を中綴じ製本して例えばパスポートを作製した場合に、パスポート等を見開いたときの左右のページ態様がいずれのページでも同じになる。その結果、例えばパスポートの検閲時において、そのページ態様が同じであるか異なるかが瞬時且つ容易に判別できるので、偽造の疑いのある紙幣、小切手、株券、債券、商品券、カード、機密文書、パスポート、身分証明書等の発見に極めて効果的である。
【００３７】
本発明に係るセキュリティ用紙の製造方法によれば、２層又は３層の紙層で構成された中綴じ製本用のセキュリティ用紙を多槽式円網抄紙機で製造するので、その抄紙機で第１抄紙工程と第２抄紙工程と（必要に応じて第３抄紙工程と）を経ることにより、セキュリティ用紙の表裏に、偽造が困難なウインドウスレッドのラインを少なくとも１つ設けることができる。その結果、セキュリティの高い安全なセキュリティ用紙を効率的に製造できる。
【００３８】
本発明に係るパスポートによれば、どのページを見開いたときであっても左右のページ態様が対称となり、その結果、パスポートの検閲時において、そのページ態様が同じであるか異なるかが瞬時且つ容易に判別できるので、偽造の疑いのあるパスポートの発見に極めて効果的である。
【図面の簡単な説明】
【００３９】
【図１】本発明に係る実施形態のパスポートの一例を示す模式的な説明図である。
【図２】図１に示すパスポートを開いた状態の模式的な説明図である。
【図３】ウインドウスレッドが設けられたセキュリティ用紙の一例を示す模式的な表面図、裏面図、Ａ−Ａ断面図及びＢ−Ｂ断面図である。
【図４】ウインドウスレッドが設けられたセキュリティ用紙の他の一例を示す模式的な表面図、裏面図、Ａ−Ａ断面図及びＢ−Ｂ断面図である。
【図５】ウインドウスレッドが設けられたセキュリティ用紙のさらに他の一例を示す模式的な表面図、裏面図、Ａ−Ａ断面図及びＢ−Ｂ断面図である。
【図６】セキュリティ用紙の製造方法を実施する製造装置の一例を示す説明図である。
【図７】２槽の抄紙機を備えた製造装置の説明図である。
【図８】セキュリティ用紙の製造方法を実施する製造装置の他の一例を示す説明図である。
【図９】３槽の抄紙機を備えた製造装置の説明図である。
【図１０】セキュリティ用紙が製造工程中で流れる方向と、そのセキュリティ用紙に設けられたウインドウスレッドのライン方向を示す模式的な説明図である。
【図１１】中綴じ製本の工程を示す模式的な説明図（Ａ〜Ｄ）と、得られた中綴じ冊子を示す模式的な説明図（Ｅ）である。
【図１２】ウインドウスレッドが設けられた一般的な紙幣や有価証券等の一例を示す模式的な表面図、裏面図、Ａ−Ａ断面図及びＢ−Ｂ断面図である。
【図１３】一般的なウインドウスレッド用紙を用いて中綴じ製本したパスポートの一例を示す模式的な説明図である。
【図１４】他のウインドウスレッド用紙を用いて中綴じ製本したパスポートの他の一例を示す模式的な説明図である。
【発明を実施するための形態】
【００４０】
以下に、本発明に係るセキュリティ用紙、その製造方法及びパスポートの実施形態について、図面を参照しつつ説明する。なお、本発明の範囲は、その技術的思想を有する範囲を包含し、以下に示す実施形態のみに限定されない。
【００４１】
［セキュリティ用紙］
本実施形態に係るセキュリティ用紙４は、図１及び図２に示すように、中綴じ製本してパスポート１や通帳等を作製するのに好ましく用いることができる。図１及び図２に示すパスポート１は、通常のパスポートと同様の中綴じ手段、例えば図１１で説明した中綴じ手段によって製本される。すなわち、複数枚のセキュリティ用紙４を丁合して平重ねした後、その中心線６に沿って糸綴じを施して中綴じ部５とし、次に表紙２，３を貼り付け、中綴じ部５で二つ折りして製本される。なお、図２に示す符号７は、ＩＣチップを含むＩＣ封止ページを表したものである。ここで、ＩＣチップの配置は、この実施形態に限られず、ＩＣチップを表紙と見返しとの間に設けたり、本文の２枚目〜３枚目にカード状にして挟み込んでもよい。
【００４２】
こうしたパスポート１は、見開いたときのページ態様がいずれのページでも同一のものとなっている。すなわち、図１及び図２から分かるように、見開いたときの右側のページではウインドウスレッド１０のラインがページの縦方向（中綴じ用の中心線６に平行）に延びており、左側のページでは遮蔽スレッド１３のラインが最外紙層の下に隠れるようにしてページの縦方向に延びている。その結果、入国時等におけるパスポートの検閲時等において、そのページ態様が同じであるか異なるかが瞬時且つ容易に判別でき、偽造の疑いのあるものを極めて効果的に抽出することができる。本発明に係るセキュリティ用紙４は、それ自体で紙幣、地域振興券、小切手、株券、債券、商品券、カード、機密文書、身分証明書、年金手帳、納金受領押印冊子等に適用できるが、好ましくは、パスポート１や通帳等で用いる中綴じ製本用の用紙として利用できる。なお、そのセキュリティ用紙４で冊子を作成した場合には、そのセキュリティ用紙４を一枚ずつ剥がせるように、セイキュリティ用紙４に必要に応じてミシン目を入れてもよい。
【００４３】
ここで、「ウインドウスレッド１０」とは、断続的に設けられた窓開き部１１と、その窓開き部１１内で露出したスレッド１２とで構成された態様のことをいい、「スレッド１２」とは、窓開き部１１で露出したスレッドのことをいい、「遮蔽スレッド１３」とは、窓開き部１１以外で紙層の下に隠れたスレッドのことをいう。「ウインドウスレッド１０のライン」とは、図１に示すパスポート１の右側ページのように、ウインドウスレッド１０がライン状に一方向（縦方向）に断続的に並んでいることを意味し、「縦方向」とは、図１のパスポート１の例では、パスポート１を左右ページに見開いたときの上下方向のことを指す。「断続的に設けられる」とは、窓開き部１１が遮蔽スレッド部を間に挟んで一方向に間欠的に設けられることを意味し、「断続的」とは、一定間隔と不定間隔の両方を含む。なお、図１の例では、窓開き部１１は一定間隔で断続的に設けられている。
【００４４】
（基本構成）
セキュリティ用紙４の基本構成について図３〜図５に示す三つの形態を例示して説明する。
【００４５】
図３に示す第１形態のセキュリティ用紙４Ａは、２層の紙層（第１紙層、第２紙層（最外紙層））で構成された用紙であって、中綴じ用の中心線６に対する対称位置に「ウインドウスレッド１０のライン」と「遮蔽スレッド１３」とが各１つ設けられている形態である。図３（Ａ）に示すように、セキュリティ用紙４Ａの表面には、右側ページにウインドウスレッド１０のラインが設けられ、左側ページに遮蔽スレッド１３のラインが設けられている。一方、図３（Ｂ）の裏面では表面の逆になっており、遮蔽スレッド１３が設けられた位置の裏面にウインドウスレッド１０のラインが設けられている。
【００４６】
図４に示す第２形態のセキュリティ用紙４Ｂは、第１形態と同様、２層の紙層（第１紙層、第２紙層（最外紙層））で構成された用紙であって、中綴じ用の中心線６に対する対称位置に「ウインドウスレッド１０のライン」と「遮蔽スレッド１３」とが各２つ設けられている形態である。図４（Ａ）の表面では、右側ページにウインドウスレッド１０のラインと遮蔽スレッド１３のラインが各１つ設けられ、左側ページにもウインドウスレッド１０のラインと遮蔽スレッド１３のラインが各１つ設けられている。このとき、ウインドウスレッド１０のラインは各ページの同方向（図４の例では遮蔽スレッド１３のラインの右側）に設けられており、遮蔽スレッド１３のラインは各ページの同方向（図４の例ではウインドウスレッド１０のラインの左側）に設けられている。一方、図４（Ｂ）の裏面では表面の逆になっており、遮蔽スレッド１３が設けられた位置の裏面にウインドウスレッド１０のラインが設けられている。
【００４７】
図５に示す第３形態のセキュリティ用紙４Ｃは、３層の紙層（第１紙層、第２紙層、第３紙層（最外紙層））で構成された用紙であって、図３の場合と同様、中綴じ用の中心線６に対する対称位置に「ウインドウスレッド１０のライン」と「遮蔽スレッド１３」とが設けられている形態である。図５（Ａ）の表面では、右側ページにウインドウスレッド１０のラインが設けられ、左側ページに遮蔽スレッド１３のラインが設けられており、図５（Ｂ）の裏面では表面の逆になっており、遮蔽スレッド１３が設けられた位置の裏面にウインドウスレッド１０のラインが設けられている。この第３形態では、上記した第１，第２形態の場合とは異なり、窓開き部１１を有さない第２紙層（中間層）３２が第１紙層３１と第３紙層３３との間に設けられている。
【００４８】
このように、本実施形態に係るセキュリティ用紙４は、表面と裏面のそれぞれにおいて、中綴じ用の中心線６に対する対称座標位置に「ウインドウスレッド１０のライン」と「遮蔽スレッド１３」とが少なくとも各１つ設けられていることを基本構成としている。言い換えれば、ウインドウスレッド１０のラインとしては、セキュリティ用紙４の表裏両面に２つ以上設けられており、中綴じ製本した後の各ページ（各面）には少なくとも１つ設けられていることを基本構成としている。したがって、こうした基本構成を有するセキュリティ用紙４であれば、図３〜図５に示すセキュリティ用紙４Ａ〜４Ｃ以外の形態であっても本発明に係るセキュリティ用紙４に包含される。
【００４９】
その他の変形例としては、例えば図４に示すように、中綴じ製本した後の各ページに２つ以上設けられた形態であってもよいし、図４に示すものとは異なり、表面の右側ページにウインドウスレッド１０のラインが２つ設けられ、表面の左側ページに遮蔽スレッド１３のラインが２つ設けられている形態であってもよい。さらにそれ以外の形態であってもよい。つまり、本発明に係るセキュリティ用紙４では、表面と裏面にそれぞれ２つ以上のウインドウスレッド１０のラインが設けられ、（ア）中心線６から一方の側（例えば右側ページ）の表面に２つ以上のウインドウスレッド１０のラインが設けられ且つ中心線６から他方の側（例えば左側ページ）の裏面に２つ以上のウインドウスレッドのラインが設けられている、又は、（イ）中心線６から一方の側（例えば右側ページ）の表面に２つ以上のウインドウスレッドのラインのうち少なくとも１つのラインが設けられ且つ中心線６から他方の側（例えば左側ページ）の表面に２つ以上のウインドウスレッドのラインのうち少なくとも１つのラインが設けられているものであってもよい。
【００５０】
（紙層）
紙層は、セキュリティ用紙４の構成要素であり、例えば図３及び図４に示すセキュリティ用紙４Ａ，４Ｂの場合には２層で構成され、図５に示すセキュリティ用紙４Ｃの場合には３層で構成されている。これら２層又は３層の各紙層は、同じ材質からなる層であってもよいし異なる材質からなる層であってもよい。
【００５１】
紙層の構成材料としては、針葉樹晒クラフトパルプ（ＮＢＫＰ）、広葉樹晒クラフトパルプ（ＬＢＫＰ）、針葉樹晒サルファイトパルプ（ＮＢＳＰ）等の木材パルプ；麻、綿、藁を原料とした非木材パルプ；等を挙げることができる。紙層は後述する抄紙機で抄紙されて形成される。その抄紙機への供給原料は、前記した材料を適宜混合して叩解し、これに填料、乾燥紙力増強剤、湿潤紙力増強剤、サイズ剤、定着剤、歩留り向上剤、濾水性向上剤、消泡剤、染料、着色顔料及び蛍光剤等から任意に選択された添加剤を適宜加えて所定の粘度となるように調整される。こうして調整された供給原料を抄紙機に供給して各紙層が抄紙される。
【００５２】
（窓開き部）
窓開き部１１は、セキュリティ用紙４の構成要素であり、スレッド１２とともにウインドウスレッド１０を構成する。窓開き部１１は、紙層が設けられていない所定の大きさの開口部位である。そして、セキュリティ用紙４の表面の最外紙層と裏面の最外紙層とにそれぞれ一定の方向に断続的に設けられている。
【００５３】
窓開き部１１の大きさは任意に設定されるが、例えば一辺が５ｍｍ〜１５ｍｍの正方形又は長方形である。この窓開き部１１の中には、幅０．８ｍｍ〜６ｍｍ程度のスレッド１２が露出している。窓開き部１１は、例えば５ｍｍ〜１０ｍｍの一定間隔（ピッチ）で断続的に設けられていてもよいし、その寸法範囲で不定間隔で断続的に設けられていてもよい。
【００５４】
（スレッド）
スレッドには、窓開き部１１で露出したスレッド１２と、窓開き部１１以外で紙層の下に隠れた遮蔽スレッド１３がある。これらのスレッド１２，１３は、同じスレッドで形成されるものであり、そのスレッドがセキュリティ用紙４を構成する紙層にすき入れて形成される。スレッドは、セキュリティ性のよい各種のものを挙げることができ、特に限定されない。通常、基材上に各種の膜が設けられたものを挙げることができる。
【００５５】
基材はスレッドの構成要素であり、例えば、耐溶剤性及び／又は耐熱性のある樹脂フィルムを使用できる。樹脂フィルムを構成する樹脂材料としては、ポリエチレンテレフタレート（ＰＥＴ）等のポリエステル樹脂、ポリアミド樹脂、ポリイミド樹脂、ポリカーボネート樹脂、ポリスチレン樹脂、ポリプロピレン樹脂、ポリサルホン樹脂、ポリフェニレンサルファイド樹脂、セルロース系樹脂、ポリエチレンナフタレート（ＰＥＮ）樹脂等を挙げることができる。基材の厚さは特に限定されないが、４μｍ〜２０μｍ程度が好ましい。また、基材を漉き入れる場合の厚さとしては、紙の厚さが８０μｍ〜１５０μｍのため、２０μｍ〜４０μｍの厚さが望ましい。
【００５６】
スレッドとしては、例えば、金銀糸用スレッド、ホログラムスレッド、磁気スレッド、蛍光発色スレッド、絵柄スレッド等の従来から偽造防止用に提案されているスレッドを使用できる。これらの各スレッドは、基材上に塗布法や印刷法等の湿式法；真空蒸着法、スパッタリング法、イオンプレーテイング法等のＰＶＤ法；ＣＶＤ法；等の各種成膜手段で膜を成膜して得られる。湿式法で膜を形成する場合の厚さは、通常通常０．３μｍ〜３０μｍであり、好ましくは１．０μｍ〜１０μｍである。一方、ＰＶＤ法やＣＶＤ法で膜を形成する場合の厚さは、１０ｎｍ〜１０００ｎｍであり、好ましくは１０ｎｍ〜３００ｎｍである。
【００５７】
例えば金銀糸用のスレッドは、基材である樹脂フィルム上に金属アルミニウム膜を真空蒸着し、その蒸着面に保護を目的とした樹脂を塗工してマイクロスリッターでスリットすることで製造される。このとき、塗工する樹脂を黄色に着色することで金色のスレッドを製造できる。スレッドには感熱接着剤を塗工しておくことが好ましい。これによって、後述する抄紙機の乾燥ゾーンの熱で感熱接着剤が機能しスレッドと紙層との接着がより一層確実になる。
【００５８】
ホログラムスレッドは、ホログラムや回折格子等の光回折構造を有するスレッドである。このホログラムスレッドは、製造のために高度な技術を要することから、偽造防止手段として好ましい。光回折構造の作製方法として、被写体にレーザ光と参照光を照射し、感光材に干渉縞を形成させる方法や、電子線描画による方法がある。また、光回折構造を媒体上に形成する方法として、熱転写によって形成する方法や、ラベルにして貼付する方法がある。
【００５９】
磁性スレッドは、セキュリティ性のある磁気データが付与されたスレッドである。上記のスレッドと同様、基材上に磁性膜を印刷法や真空成膜法（真空蒸着、スパッタリング、イオンプレーテイング等）で成膜して得ることができる。磁性膜の構成材料としては、鉄、コバルト及びニッケルから選ばれる１又は２以上の鉄族材料を主成分とし、これにほう素、炭素、マグネシウム、アルミニウム、珪素、燐、硫黄、チタン、バナジウム、クロム、マンガン、銅、亜鉛、イットリウム、ジルコニウム、ニオブ、モリブテン、パラジウム、銀、インジウム、錫、タンタル、タングステン、イリジウム、白金、金、鉛から選ばれる１又は２以上の材料を添加して構成される。
【００６０】
真空成膜法は、上記の材料を蒸発源又はターゲットとして用いて成膜する。一方、印刷法では、強磁性材料を顔料として含み、その顔料を分散するバインダー及び溶剤を配合した印刷インキが用いられる。含量である強磁性材料は、１０ｎｍ〜数十μｍの粒径のものを用いることができる。得られた磁性スレッドに磁気データを付与する方法は、レーザ加工、エッチング法、リフトオフ法等の薄膜除去手段により部分的に磁性膜を除去してパターン化して行われる。
【００６１】
なお、得られたスレッドにおいて、各種の膜が設けられていない側の基材面には、必要に応じて、接着剤層が設けられている。接着剤層としては、スレッドを紙層にすき入れる際に、紙層との接着強度を高めるように作用するものである。通常は、でんぷん、カゼイン、カルボキシメチルセルローズ（ＣＭＣ）等からなる水溶性接着剤や抄造時に水で流れないようにした溶剤系接着剤、ホットメルト型接着剤が好ましく用いられる。スレッドには、接着剤（中心は熱接着剤（ヒートシール剤））が、表裏に塗られており、脱落を防止している。さらに、スレッドの入った用紙の表面にＰＶＡ等をコーティングして脱落防止のために接着強度を強める方法もある。
【００６２】
以上、本実施形態に係るセキュリティ用紙４は、２層又は３層の紙層で構成されたセキュリティ用紙の表面と裏面に、それぞれウインドウスレッド１０のラインが中心線６に対する左右対称位置に対ラインとして少なくとも１対設けられている。このセキュリティ用紙４を中綴じ製本して例えば図１に示すパスポート１を作製した場合に、パスポート等を見開いたときの左右のページ態様が対称となる。その結果、例えばパスポート１の検閲時において、そのページ態様が同じであるか異なるかが瞬時且つ容易に判別できるので、偽造の疑いのあるパスポート等の発見に極めて効果的である。
【００６３】
［セキュリティ用紙の製造方法］
本実施形態に係るセキュリティ用紙の製造方法は、２層又は３層の紙層で構成された中綴じ製本用のセキュリティ用紙４を、多槽式円網抄紙機を用いて製造する方法である。図６及び図７は、２層の紙層で構成されたセキュリティ用紙４Ａ，４Ｂ（図３及び図４を参照）を２槽式円網抄紙機４０Ａを用いて製造する説明図であり、図８及び図９は、３層の紙層で構成されたセキュリティ用紙４Ｃ（図５を参照）を３槽式円網抄紙機４０Ｂを用いて製造する説明図である。
【００６４】
（円網抄紙機）
円網抄紙機４０（４０Ａ，４０Ｂ）は、図６及び図８に示すように、パルプ槽６２，６５，６８に浸漬した回転円筒金網（円網シリンダー６１，６４，６７という。）の金網面に、紙原料を槽から汲みあげる方法で紙層を抄造する装置である。この金網面に、図７及び図９に示すように、透かし形成部材７１，７２（例えばテープ等）を所定の大きさと間隔で接合させて網目を塞いでおけば、ウインドウスレッド１０を構成する窓開き部１１を形成できる。なお、透かしは、白透かしであってもよく、あるいは階調性のある透かし等であってもよい。
【００６５】
抄紙機４０は、通常、ワイヤーパート４２とプレスパート４４とドライヤーパート４６とリールパート４８とから構成されている。ワイヤーパート４２は、セキュリティ用紙４を抄造すると同時にスレッドをすき入れる部分であり、プレスパート４４は、抄き合わされたセキュリティ用紙４を加圧して脱水する部分であり、ドライヤーパート４６は、抄造後のセキュリティ用紙４を乾燥する部分であり、リールパート４８は、セキュリティ用紙４を巻き上げする部分である。
【００６６】
ワイヤーパート４２は、図６に示す２槽式円網抄紙機４０Ａでは、フェルト９１が供給される上流側から、第１円網シリンダー６１及び第１紙原料槽６２を備える第１抄紙機５１と、第２円網シリンダー６４及び第２紙原料槽６５を備える第２抄紙機５２とが縦列に配置されている。一方、図８に示す３槽式円網抄紙機４０Ｂでは、ワイヤーパート４２は、フェルト９１が供給される上流側から、第１円網シリンダー６１及び第１紙原料槽６２を備える第１抄紙機５１と、第２円網シリンダー６４及び第２紙原料槽６５を備える第２抄紙機５２と、第３円網シリンダー６７及び第３紙原料槽６８を備える第３抄紙機５３とが縦列に配置されている。
【００６７】
上流側から供給されたフェルト９１上には、第１抄紙機５１から順次紙層が形成される。図６に示す２槽式円網抄紙機４０Ａでは、第１紙層２１と第２紙層２２とが順次積層され（図３及び図４を参照）、図８に示す３槽式円網抄紙機４０Ｂでは、第１紙層３１と第２紙層３２と第３紙層３３とが順次積層される（図５を参照）。各紙層が形成されたフェルト９１は、各円網シリンダー６１，６４，６７に対向して設けられた圧搾ローラ６３，６６，６９と、ガイドローラ９３とで搬送される。
【００６８】
スレッドは、図６に示す２槽式円網抄紙機４０Ａでは、第１抄紙機５１と第２抄紙機５２との間に、第１スレッド１２Ａと第２スレッド１２Ｂの２系統で供給される。一方、図８に示す３槽式円網抄紙機４０Ｂでは、第１抄紙機５１と第２抄紙機５２との間に第１スレッド１２Ａが供給され、第２抄紙機５２と第３抄紙機５３との間にもう第２スレッド１２Ｂが供給される。
【００６９】
各円網シリンダー６１，６４，６７は、各紙原料槽６２，６５，６８に回転可能に軸支され、フェルト９１を挟んで圧搾ローラ６３，６６，６９と接する。各紙原料槽６２，６５，６８は、上部が開放された筐体状をなしており、その壁には紙原料供給口（図示しない）が設けられている。
【００７０】
各円網シリンダー６１，６４，６７は、網目状をなした円筒からなる。網目は、円筒の周縁部に渡された支持棒に針金を螺旋状に巻いて形成したものであっても、金網を巻いて形成したものであってもよい。
【００７１】
（２槽式円網抄紙機でのセキュリティ用紙の製造方法）
最初に、抄紙工程の原理を説明する。各抄紙機５１，５２を構成する各紙原料槽６２，６５には、パルプ原料及び必要な添加剤で調整された紙原料が供給される。供給された紙原料は、円網シリンダー６１，６４が回転することにより、その円網シリンダー６１，６４の網目により濾過作用を受ける。これにより、紙原料は円網シリンダー６１，６４の網目上に止まり、水は円網シリンダー６１，６４の円筒内へ流入し、網目上に紙層が形成される。網目上に形成された紙層は、上流側から供給されるフェルト９１上に転写して紙層が形成される。
【００７２】
準備工程として、第１抄紙機５１を構成する第１円網シリンダー６１の網面に、セキュリティ用紙４Ａ，４Ｂの窓開き部１１Ａに相当する部分の網目を塞ぐ透かし形成部７１を形成する。さらに、第２抄紙機５２を構成する第２円網シリンダー６４の網面にも、セキュリティ用紙４Ａ，４Ｂの窓開き部１１Ｂに相当する部分の網目を塞ぐ透かし形成部７２を形成する。透かし形成部７１，７２としては、例えば網面に樹脂を部分的に塗工したり、所定の形状の樹脂板を貼合したり、金属板を貼合したりする等の細工によって形成できる。形成した透かし形成部７１，７２では水が通らず、網の内側から吸水できないので、その透かし形成部７１，７２にはパルプが付着しない。その結果、抄紙してなる紙層には窓開き部１１Ａ，１１Ｂが形成されることになる。一方、透かし形成部７１，７２を設けない部分は水が通り、網の内側から吸水できるので、その透かし形成部７１，７２を設けない部分にはパルプが付着して紙層２１，２２となる。
【００７３】
第１抄紙工程は、図６及び図７に示すように、上記準備工程の後、上流側から供給されたフェルト９１上に、窓開き部１１Ａを有する第１紙層（湿紙）２１を抄紙する工程である。上記原理で抄紙された第１紙層２１には、窓開き部１１Ａ（図３及び図４を参照）が断続的に且つ第１紙層２１の流れ方向に形成されている。
【００７４】
第２抄紙工程は、図６及び図７に示すように、（ア）第１抄紙工程後に第２紙層２２を抄紙するサブ工程と、（イ）第１紙層２１が有する窓開き部１１Ａに第１スレッド１２Ａをすき入れてウインドウスレッド１０Ａを形成するサブ工程と、（ウ）第２紙層２２に窓開き部１１Ｂを形成し且つその窓開き部１１Ｂに第２スレッド１２Ｂをすき入れしてなるウインドウスレッド１０Ｂを有する第２紙層２２を形成するサブ工程とを有する。
【００７５】
（ア）の第２紙層２２の抄紙は、図６及び図７に示すように、第２紙層２２を第１紙層２１上に設けるサブ工程であり、第２円網シリンダー６４に透かし形成部が無い部分で行われる。
【００７６】
（イ）の第１スレッド１２Ａをすき入れは、図６及び図７に示すように、第１抄紙工程で形成した第１紙層２１の窓開き部１１Ａに第１スレッド１２Ａをすき入れするサブ工程である。このサブ工程では、第１紙層２１と第２円網シリンダー６４との間に第１スレッド１２Ａをすき入れるが、詳しくは、第１スレッド１２Ａを、第１紙層２１に断続的に形成された窓開き部１１Ａ上と、第２円網シリンダー６４との間に供給してすき入れる。こうして、第１紙層２１に形成された窓開き部１１Ａでは、図３（Ｃ）及び図４（Ｃ）に示すように、第１スレッド１２Ａが露出したウインドウスレッド１０Ａとなり、第１紙層２１の窓開き部１１Ａ以外の部位では、図３（Ｄ）及び図４（Ｄ）に示すように、第１スレッド１２Ａは第１紙層２１を最外層としてその最外層に隠蔽された遮蔽スレッド１３Ａとなる。
【００７７】
（ウ）の第２紙層２２への窓開き部１１Ｂの形成、及び、その窓開き部１１Ｂへの第２スレッド１２Ｂのすき入れは、図６及び図７に示すように、第２紙層２２に窓開き部１１Ｂを形成するとともに、その窓開き部１１Ｂに第２スレッド１２Ｂをすき入れするサブ工程である。このサブ工程では、第２円網シリンダー６４に透かし形成部７２が設けられた部位で窓開き部１１Ｂが形成される。この窓開き部１１Ｂは、第２円網シリンダー６４の外周に設けられた透かし形成部７２に対応した部位に断続的に形成される。その窓開き部１１Ｂへの第２スレッド１２Ｂのすき入れは、第２紙層２２と第２円網シリンダー６４との間に第２スレッド１２Ｂを供給して行うが、詳しくは、第２スレッド１２Ｂを、第１紙層２１上であって第２紙層２２に断続的に形成されることになる窓開き部１１Ｂと、第２円網シリンダー６４との間にすき入れる。こうして、第２紙層２２に形成された窓開き部１１Ｂでは、図３（Ｃ）及び図４（Ｃ）に示すように、第２スレッド１２Ｂが露出したウインドウスレッド１０Ｂとなり、第２紙層２２の窓開き部１１Ｂ以外の部位では、図３（Ｄ）及び図４（Ｄ）に示すように、第２スレッド１２Ｂは第２紙層２２を最外層としてその最外層に隠蔽された遮蔽スレッド１３Ｂとなる。
【００７８】
こうして、２層構成からなるセキュリティ用紙４Ａ，４Ｂの連続紙が抄紙される。なお、特に２層のセキュリティ用紙４Ａ，４Ｂの場合は、窓開き部１１Ａ，１１Ｂに相当する箇所を裏面から透かして見たとき、その周囲と比較して明るく透けて見える。このため、その部分を「透かし」と呼んでいる。特に２層のセキュリティ用紙４Ａ，４Ｂでは、この透かしを積極的に利用して偽造防止効果をより高めることができる。
【００７９】
２層構成からなるセキュリティ用紙４Ａ，４Ｂの連続紙９５（図１０参照）は、図６に示すように、フェルト９１に付着した状態で周回し、次工程のフェルト９２へ移され、プレスパート４４へと導かれる。プレスパート４４では、一対のプレスローラ（図示しない）の間を移動する際に圧縮され脱水される。次いで、ドライヤーパート４６へ導かれたセキュリティ用紙４Ａ，４Ｂの連続紙９５は、ドライヤーシリンダ（図示しない）上を移動することにより乾燥し、リールパート４８の巻取ローラ（図示しない）により巻き取られ、図１０に示すように、セキュリティ用紙４Ａ，４Ｂの連続紙９５となる。なお、図１０中の矢印は、セキュリティ用紙４Ａ，４Ｂの連続紙９５の長尺方向を指している。また、符号４は、その後に切断される部位を示しており、その切断によってセキュリティ用紙４Ａ，４Ｂが得られる。
【００８０】
以上のように、２槽式円網抄紙機４０Ａでのセキュリティ用紙４Ａ，４Ｂの製造方法により、２層構成からなるセキュリティ用紙４Ａ，４Ｂを製造できる。図３に示すセキュリティ用紙４Ａは、第１スレッド１２Ａが窓開き部１１Ａで露出するウインドウスレッド１０Ａと、第２スレッド１２Ｂが窓開き部１１Ｂで露出するウインドウスレッド１０Ｂとが、セキュリティ用紙の表面側に１つ、裏面側に１つ設けられている態様である。そのため、図１０中の破線で示すように、切断領域内に、一方の面（表面又は裏面）に形成されたウインドウスレッド１０Ａと、他の面（裏面又は表面）に形成されたウインドウスレッド１０Ｂとをそれぞれ１つ有するように切断される。このとき、すき入れられた第１スレッド１２Ａと第２スレッド１２Ｂとを、セキュリティ用紙の表面に設けられた少なくとも１つのウインドウスレッド１０Ａのラインと、セキュリティ用紙の裏面に設けられた少なくとも１つのウインドウスレッド１０Ｂのラインとし、その各ウインドウスレッド１０Ａ，１０Ｂのラインをセキュリティ用紙４の中心線６に対する左右対称の座標位置の表面と裏面にそれぞれ設けられるように切断する。
【００８１】
一方、図４に示すセキュリティ用紙４Ｂは、第１スレッド１２Ａが窓開き部１１Ａで露出するウインドウスレッド１０Ａと、第２スレッド１２Ｂが窓開き部１１Ｂで露出するウインドウスレッド１０Ｂとが、セキュリティ用紙の表面側に２つ、裏面側に２つ設けられている態様である。そのため、切断領域内に、一方の面（表面又は裏面）に形成されたウインドウスレッド１０Ａと、他の面（裏面又は表面）に形成されたウインドウスレッド１０Ｂとをそれぞれ２つ有するように切断される。このとき、すき入れられた２つの第１スレッド１２Ａと２つの第２スレッド１２Ｂとを、セキュリティ用紙の表面に設けられた２つのウインドウスレッド１０Ａのラインと、セキュリティ用紙の裏面に設けられた２つのウインドウスレッド１０Ｂのラインとし、その各ウインドウスレッド１０Ａ，１０Ｂのラインをセキュリティ用紙４の中心線６に対する左右対称の座標位置の表面と裏面にそれぞれ設けられるように切断する。
【００８２】
この場合においては、（ア）中心線６から一方の側（右側）の表面に２つ以上のウインドウスレッド１０Ａのラインを設けてもよいし、又は、（イ）図４に示すように、中心線６から一方の側（右側）の表面に２つ以上のウインドウスレッド１０Ａのラインのうちの１つのライン１０Ａを設け且つ中心線６から他方の側（左側）の表面に該２つ以上のウインドウスレッド１０Ａのラインのうちの１つのライン１０Ａを設けるように構成してもよい。なお、（イ）の態様では、表面に設けられたウインドウスレッド１０Ａ，１０Ａそれぞれは中心線６に対して非対称であるが、表面設けられた各ウインドウスレッド１０Ａと、裏面に設けられた各ウインドウスレッド１０Ｂとは中心線６に対して対称となっている。
【００８３】
なお、２槽式円網抄紙機でのセキュリティ用紙の製造は、スレッド１２Ａ，１２Ｂを第２抄紙工程で同時にすき入れするので、異なる抄紙工程でそれぞれすき入れする場合に比べて、スレッド１２Ａ，１２Ｂ相互の位置が相対的なものになって位置ズレが小さくなるというメリットがある。さらに、３槽式円網抄紙機に比べて抄紙機を１台省略できるので、設備的にも工数的にもコストメッリトがある。
【００８４】
（３槽式円網抄紙機でのセキュリティ用紙の製造方法）
抄紙工程の原理は、上記した２槽式円網抄紙機でのセキュリティ用紙の製造方法の欄で説明したのと同じであるので、ここではその説明を省略する。なお、３槽式円網抄紙機でのセキュリティ用紙４Ｃの製造方法においては、上記した２槽式円網抄紙機でのセキュリティ用紙４Ａ，４Ｂの製造方法での工程と区別するために、各工程に「’」を設けている。
【００８５】
準備工程として、第１抄紙機５１を構成する第１円網シリンダー６１の網面に、セキュリティ用紙４Ｃの窓開き部１１Ａに相当する部分の網目を塞ぐ透かし形成部７１を形成する。さらに、第３抄紙機５３を構成する第３円網シリンダー６７の網面にも、セキュリティ用紙４Ｃの窓開き部１１Ｂに相当する部分の網目を塞ぐ透かし形成部７２を形成する。一方、第２抄紙機５２を構成する第２円網シリンダー６４の網面には、透かし形成部は形成しない。なお、透かし形成部７１，７２は、上記した２槽式円網抄紙機でのセキュリティ用紙の製造方法の欄で説明したのと同じであるので、ここではその説明を省略する。
【００８６】
第１’抄紙工程は、図８及び図９に示すように、上記準備工程の後、上流側から供給されたフェルト９１上に、窓開き部１１Ａを有する第１紙層（湿紙）３１を抄紙する工程である。上記原理で抄紙された第１紙層３１には、窓開き部１１Ａ（図５を参照）が断続的に且つ第１紙層３１の流れ方向に形成されている。
【００８７】
第２’抄紙工程は、図６及び図７に示すように、第１’抄紙工程後に第２紙層３２を抄紙する工程であって、その第１紙層３１が有する窓開き部１１Ａに第１スレッド１２Ａをすき入れして第２紙層３２を形成する工程である。この工程では、図６及び図７に示すように、第１’抄紙工程で形成した第１紙層３１の窓開き部１１Ａへの第１スレッド１２Ａをすき入れを、第１紙層３１と第２円網シリンダー６４との間で行う。詳しくは、第１スレッド１２Ａを、第１紙層３１に断続的に形成された窓開き部１１Ａ上と、第２円網シリンダー６４との間に供給してすき入れる。こうして、第１紙層３１に形成された窓開き部１１Ａでは、図５（Ｃ）に示すように、第１スレッド１２Ａが露出したウインドウスレッド１０Ａとなり、第１紙層３１の窓開き部１１Ａ以外の部位では、図５（Ｄ）に示すように、第１スレッド１２Ａは第１紙層３１を最外層としてその最外層に隠蔽された遮蔽スレッド１３Ａとなる。
【００８８】
なお、窓開き部１１Ａがない部分の第１紙層３１上には、第２紙層２２がそのまま設けられる。
【００８９】
第３’抄紙工程は、図８及び図９に示すように、第２’抄紙工程後に第３紙層３３を抄紙する工程であって、その第３紙層３３に窓開き部１１Ｂを形成し且つその窓開き部１１Ｂに第２スレッド１２Ｂをすき入れして第３紙層３３を形成する工程である。
【００９０】
この第３’抄紙工程では、第３円網シリンダー６７に透かし形成部７２が設けられた部位で窓開き部１１Ｂが形成される。この窓開き部１１Ｂは、第３円網シリンダー６７の外周に設けられた透かし形成部７２に対応した部位に断続的に形成される。その窓開き部１１Ｂへの第２スレッド１２Ｂのすき入れは、第２紙層３２と第３円網シリンダー６７との間に第２スレッド１２Ｂを供給して行うが、詳しくは、第２スレッド１２Ｂを、第２紙層３２上であって第３紙層３３で断続的に形成されることになる窓開き部１１Ｂと、第３円網シリンダー６７との間にすき入れる。こうして、第３紙層３３に形成された窓開き部１１Ｂでは、図５（Ｃ）に示すように、第２スレッド１２Ｂが露出したウインドウスレッド１０Ｂとなり、第３紙層３３の窓開き部１１Ｂ以外の部位では、図５（Ｄ）に示すように、第２スレッド１２Ｂは第３紙層３３を最外層としてその最外層に隠蔽された遮蔽スレッド１３Ｂとなる。
【００９１】
こうして、３層構成からなるセキュリティ用紙４Ｃの連続紙が抄紙される。
【００９２】
３層構成からなるセキュリティ用紙４Ｃの連続紙は、図１０に示す２層構成からなるセキュリティ用紙４Ａ，４Ｂと同様、図８に示すように、フェルト９１に付着した状態で周回し、次工程のフェルト９２へ移され、プレスパート４４へと導かれる。各パートでの処理は、上記した２槽式円網抄紙機でのセキュリティ用紙の製造方法の欄で説明したのと同じであるので、ここではその説明を省略する。
【００９３】
以上のように、３槽式円網抄紙機４０Ｂでのセキュリティ用紙４Ｃの製造方法により、セキュリティ用紙４Ｃの表面と裏面に、偽造が困難なウインドウスレッドのラインを少なくとも１つ設けることができる。その結果、セキュリティの高い安全なセキュリティ用紙４Ｃを効率的に製造できる。
【００９４】
図５に示すセキュリティ用紙４Ｃは、第１スレッド１２Ａが窓開き部１１Ａで露出するウインドウスレッド１０Ａと、第２スレッド１２Ｂが窓開き部１１Ｂで露出するウインドウスレッド１０Ｂとが、セキュリティ用紙の表面側に１つ、裏面側に１つ設けられている態様である。そのため、例えば図１０中の破線で示すように、切断領域内に、一方の面（表面又は裏面）に形成されたウインドウスレッド１０Ａと、他の面（裏面又は表面）に形成されたウインドウスレッド１０Ｂとをそれぞれ１つ有するように切断される。これらの切断態様等についても、上記した２槽式円網抄紙機でのセキュリティ用紙の製造方法の欄で説明したのと同じであるので、ここではその説明を省略する。
【００９５】
以上、本実施形態に係るセキュリティ用紙４の製造方法によれば、セキュリティ用紙４の表裏両面にウインドウスレッド１０のラインを形成する。表裏両面へのウインドウスレッド１０のラインの形成は、最低２つの抄紙工程（抄紙機）が必要であり、用紙強度の観点からは３つの抄紙工程で形成する３層構成のセキュリティ用紙４Ａ，４Ｂを提供でき、一方、工数削減とコストダウンの観点からは２つの抄紙工程で形成する２層構成のセキュリティ用紙４Ｃを提供できる。なお、ウインドウスレッド１０のラインは、最終的に形成する紙層（最外紙層）以外の紙層を形成し、その紙層と最外紙層とを重ね合わせる際に、最外紙層の窓開き部１１に位置するようにスレッド１２を紙層間に挿入する。これによって、最外紙層の窓開き部１１内にスレッド１２をすき入れでき、窓開き部１１でスレッド１２が露出するように構成できる。
【符号の説明】
【００９６】
１  パスポート
２，３  表紙
４，４Ａ，４Ｂ，４Ｃ  セキュリティ用紙
５  中綴じ部
６  中心線
７  ＩＣ封止ページ
１０，１０Ａ，１０Ｂ  ウインドウスレッド
１１，１１Ａ，１１Ｂ  窓開き部
１２，１２Ａ，１２Ｂ  スレッド
１３，１３Ａ，１３Ｂ  スレッドが紙層内に隠れている部分
２１  最外紙層（第２紙層）
２２  第１紙層
３１  最外紙層（第３紙層）
３２  第２紙層
３３  第１紙層
【００９７】
４０Ａ  ２槽式円網抄紙機
４０Ｂ  ３槽式円網抄紙機
４２  ワイヤーパート
４４  プレスパート
４６  ドライヤーパート
４８  リールパート
５１  第１抄紙機
５２  第２抄紙機
５３  第３抄紙機
６１，６４，６７  円網シリンダー
６２，６５，６８  紙原料槽
６３，６６，６９  圧搾ロール
７１，７２  透かし形成部
９１，９２  フェルト
９３，９４  ガイドロール
【００９８】
１０１Ａ，１０１Ｂ  パスポート
１０４，１０４Ａ，１０４Ｂ  ウインドウスレッド用紙
１１０  セキュリティスレッド
１１１  開口部
１１２  スレッド
１１３  遮蔽スレッド
１２０  中綴じ製本で得られた冊子
１２１  見返しページ用紙
１２２  本文ページ用紙
１２３  中心線
１２４  表紙
１２５  プレス
１２６  綴じ糸
【図１】
0005790140.tif 000002
【図２】
0005790140.tif 000003
【図３】
0005790140.tif 000004
【図４】
0005790140.tif 000005
【図５】
0005790140.tif 000006
【図６】
0005790140.tif 000007
【図７】
0005790140.tif 000008
【図８】
0005790140.tif 000009
【図９】
0005790140.tif 000010
【図１０】
0005790140.tif 000011
【図１１】
0005790140.tif 000012
【図１２】
0005790140.tif 000013
【図１３】
0005790140.tif 000014
【図１４】
0005790140.tif 000015